(57)【要約】【課題】  基体に第１中継基板を取り付けるときの作業性を改善して光ピックアップの生産性ないし量産性を向上させる。【解決手段】  基体１０と、レンズホルダー２０と、ワイヤー５０とを有する。ワイヤー５０を、基体１０に取り付けられた第１中継基板３０とレンズホルダーに取り付けた第２中継基板４０とにそれぞれ半田付けする。ワイヤー５０を基体１０の側面に固定する。この固定には、接着剤６１でなる固定手段６０を用いる。固定手段６０による固定箇所５３から第２中継基板４０に対するワイヤー５０の半田付け箇所５２に至るワイヤー長がワイヤーの有効長Ｌになる。固定手段６０を用いるワイヤー固定工程を、第１中継基板３０にワイヤー５０を半田付けするワイヤー半田付け工程に先立って行う。【選択図】        図１
2009048701.tif 000002
【特許請求の範囲】
【請求項１】
基体と、対物レンズを保持しているレンズホルダーと、上記基体に取り付けられた第１中継基板と上記レンズホルダーに取り付けられた第２中継基板とにそれぞれ半田付けされて上記基体の前方で上記レンズホルダーを片持ち保持させている導電性のワイヤーと、を有する光ピックアップにおいて、
第１及び第２の上記各中継基板に対する上記ワイヤーの各別の半田付け箇所の相互間位置でそのワイヤーを上記基体の側面に固定している固定手段が追加され、その固定手段によるワイヤーの基体の側面に対する固定箇所から上記第２中継基板に対するワイヤーの半田付け箇所に至るワイヤー長が当該ワイヤーの有効長として定められていると共に、上記固定手段として、上記ワイヤーを基体の上記側面に直接に接合している接着剤が採用され、上記第１中継基板が、上記基体の平坦な背面から張り出さない大きさを有してその背面だけに保持されていることを特徴とする光ピックアップ。
【請求項２】
上記基体が平面視多角形に形成されてその側面と背面とが互いに直交し、上記第２中継基板が、上記基体の側面に平行なレンズホルダーの側面に取り付けられている請求項１に記載した光ピックアップ。
【請求項３】
上記基体の側面に、上記ワイヤーが貫通されたダンパー剤保持部が備わり、上記接着剤による固定手段が、そのダンパー剤保持部に接する位置に配備されている請求項１又は請求項２に記載した光ピックアップ。
【請求項４】
上記ワイヤーは、上記基体の側面と背面とによって形成される出隅コーナ部で折り曲げられてその基体の背面に保持されている上記第１中継基板に半田付けされている請求項２又は請求項３に記載した光ピックアップ。
【請求項５】
基体と、対物レンズを保持しているレンズホルダーと、上記基体に取り付けられた第１中継基板と上記レンズホルダーに取り付けられた第２中継基板とにそれぞれ半田付けされて上記基体の前方で上記レンズホルダーを片持ち保持させている導電性のワイヤーと、を有する光ピックアップにおいて、
第１及び第２の上記各中継基板に対する上記ワイヤーの各別の半田付け箇所の相互間位置でそのワイヤーを上記基体の側面に固定手段を用いて固定するワイヤー固定工程を行うことによって、上記固定手段から上記第２中継基板に対するワイヤーの半田付け箇所に至るワイヤー長を当該ワイヤーの有効長として定めると共に、そのワイヤー固定工程を、上記第１中継基板にワイヤーを半田付けするワイヤー半田付け工程に先立って行い、
上記固定手段に接着剤を採用し、上記ワイヤー固定工程を行った後に、上記ワイヤー半田付け工程を行うことを特徴とする光ピックアップの組立方法。
【請求項６】
上記第１中継基板が、上記基体の平坦な背面から張り出さない大きさを有してその背面だけに保持されている請求項５に記載した光ピックアップの組立方法。
【請求項７】
上記ワイヤー半田付け工程に、第１中継基板に半田付けされたワイヤーの余剰部分を切除するワイヤー切除作業が含まれる請求項６に記載した光ピックアップの組立方法。
【発明の詳細な説明】
【技術分野】
【０００１】
本発明は、光ピックアップ及び光ピックアップの組立方法、特に、組立性を改善するための対策を講じた光ピックアップ及び光ピックアップの組立方法に関する。
【背景技術】
【０００２】
図７〜図１１を参照して従来例としての光ピックアップ及び光ピックアップの組立方法を説明する。図７は光ピックアップの概略平面図、図８は図７の要部拡大図、図９は光ピックアップの概略側面図、図１０は図９の要部拡大図、図１１は第１中継基板・の概略斜視図である。
【０００３】
この光ピックアップは、ＤＶＤなどに組み付けられ、記録媒体としてのディスクの記録面を光学的に走査することに用いられる。図７及び図９に示したように、光ピックアップは、平面視略矩形の基体１０と、対物レンズ２１を保持しているレンズホルダー２０と、基体１０に取り付けられた第１中継基板３０とレンズホルダー２０の側面に取り付けられた第２中継基板４０とにそれぞれ半田付けされた導電性のワイヤー５０とを有して、ワイヤー５０によってレンズホルダー４０が基体１０の前方で片持ち保持させている。
【０００４】
この光ピックアップにおいて、第１中継基板３０にはフレキシブル基板（ＦＰＣなど）が採用されていて、図８又は図１０によって判るように、その第１中継基板３０が基体１０の背面１２とその背面１２に直交している両側面１１，１１を覆うように曲がった状態で基体１０に取り付けられている。そして、そのような形態で基体１０に取り付けられている第１中継基板３０の両端部に上記した半田付け箇所５１が位置している。したがって、第１中継基板３０に対する半田付け箇所５１から第２中継基板４０に対する半田付け箇所５２に至る長さがワイヤー５０の有効長Ｌに相当している。
【０００５】
また、基体１０の両側面１１，１１にはダンパー剤保持部１３が突設されている。そして、このダイパー剤保持部１３を貫通した上記ワイヤー５０の端部が上記半田付け箇所５１で第１中継基板３０に半田付けされていて、その半田付け箇所５１がダンパー剤保持部１３に接している。
【０００６】
以上の構成を有する従来例としての光ピックアップでは、第１中継基板３０とワイヤー５０と第２中継基板４０とを介して送られる制御信号に従ってレンズホルダー２０の動作が制御される。
【０００７】
図１１のように、第１中継基板３０に用いられているフレキシブル基板は、その両端部３１，３１に半田ランド３３を有している。また、この第１中継基板３０は弾性や可撓性を備えていて、図８又は図１０のように中間部３２が基体１０の背面１２に重ね合わされ、かつ、両端部３１，３１が当該第１中継基板３０の弾性に抗して折り曲げられた状態で基体１０の両側面１１，１１にそれぞれ重ね合わされている。第１中継基板３０を基体１０に取り付けるときには、基体１０の背面１２に第１中継基板３０の中間部３２を重ね合わせることと、第１中継基板３０の両端部３１，３１を図１１の矢印ａのように略直角に折り曲げて基体１０の両側面１１，１１に重ね合わせることとを行って、それらを基体１０に接着剤で貼り付けるという作業が行われる。また、ワイヤー５０を第１中継基板３０の半田ランド３３に半田付けする作業は、第１中継基板１０を基体１０に貼り付けた後に行われる。なお、ワイヤー５０を第１中継基板３０や第２中継基板４０に半田付けした後には、その半田付け箇所５１，５２から延び出ている余剰部分を接続するというワイヤー切除作業が行われる。
【０００８】
一方、基体にレンズホルダーをワイヤーによって片持ち保持させるという構成を備えた光ピックアップにおいて、基体の背面に取り付けた基板とレンズホルダーの側面に取り付けた基板とにそれぞれ半田付けした光ピックアップにおいて、ワイヤーを基体の側面に取り付けた基板にも半田付けすることが知られている（たとえば、特許文献１参照）。この構成の光ピックアップでは、基体の側面の基板に対するワイヤーの半田付け箇所とレンズホルダーの側面の基板に対するワイヤーの半田付け箇所との間隔寸法がワイヤーの有効長になる。
【０００９】
また、基体の背面にワイヤーの端部を接着剤で固定した光学式ピックアップも知られている（たとえば、特許文献２参照）。
【特許文献１】特開２００６−１３４４４２号公報
【特許文献２】特開平１１−２５９８７９号公報
【発明の開示】
【発明が解決しようとする課題】
【００１０】
しかしながら、図７〜図１０を参照して説明した光ピックアップでは、第１中継基板３０に弾性を備えるフレキシブル基板が用いられていることから、折り曲げた第１中継基板３０を基体１０の背面１２や側面１１の適正位置に重ね合わせて貼り付けるという作業に困難が伴っていた。また、第１中継基板３０の半田ランド３３が、基体１０に備わっているダンパー剤保持部１３の根元の入隅部分に配置されるために、そのような場所に配置された半田ランド３３にワイヤー５０を半田付けする作業も困難を伴うものであった。
【００１１】
本発明は以上の状況の下でなされたものであり、基体に第１中継基板を取り付けるときの作業性を改善することを目的とする。
【００１２】
併せて、本発明は、基体に備わっているダンパー剤保持部の根元の入隅部分で半田付け作業を行う必要性をなくすることのできるものでありながら、ワイヤーの有効長を正確に定めることのできる光ピックアップ及び光ピックアップの組立方法を提供することを目的とする。
【課題を解決するための手段】
【００１３】
本発明に係る光ピックアップは、基体と、対物レンズを保持しているレンズホルダーと、上記基体に取り付けられた第１中継基板と上記レンズホルダーに取り付けられた第２中継基板とにそれぞれ半田付けされて上記基体の前方で上記レンズホルダーを片持ち保持させている導電性のワイヤーと、を有する。そして、第１及び第２の上記各中継基板に対する上記ワイヤーの各別の半田付け箇所の相互間位置でそのワイヤーを上記基体の側面に固定している固定手段が追加され、その固定手段によるワイヤーの基体の側面に対する固定箇所から上記第２中継基板に対するワイヤーの半田付け箇所に至るワイヤー長が当該ワイヤーの有効長として定められていると共に、上記固定手段として、上記ワイヤーを基体の上記側面に直接に接合している接着剤が採用され、上記第１中継基板が、上記基体の平坦な背面から張り出さない大きさを有してその背面だけに保持されている。
【００１４】
この構成の光ピックアップにおいて、基体の平坦な背面から張り出さない大きさを有する第１中継基板がその基体の背面だけに保持されているので、図１１を参照して説明したフレキシブル基板でなる第１中継基板３０のように、弾性に抗して両端部３１，３１を折り曲げる必要がない。そのため、第１中継基板を基体に取り付けるときの作業性が従来よりも改善される。また、ワイヤーの有効長には、固定手段によるワイヤーの固定箇所からレンズホルダーに取り付けられた第２中継基板に対するワイヤーの半田付け箇所に至るワイヤーの長さが相当しているので、ワイヤーの有効長も正確に定めのことができる。さらに、基体の側面にワイヤーを固定している固定手段として、半田付けではなく接着剤を採用したことにより、基体の側面にワイヤーを固定するときの作業性も改善される。
【００１５】
本発明では、上記基体が平面視多角形に形成されてその側面と背面とが互いに直交し、上記第２中継基板が、上記基体の側面に平行なレンズホルダーの側面に取り付けられているという構成を採用することが可能である。
【００１６】
本発明では、上記基体の側面に、上記ワイヤーが貫通されたダンパー剤保持部が備わり、上記接着剤による固定手段が、そのダンパー剤保持部に接する位置に配備されているという構成を採用することが可能である。この構成を採用した場合であっても、上記のように固定手段に接着剤を採用したので、その接着剤をダンパー剤保持部の根元の入隅部分に塗布する必要があるとしても、その塗布作業は、従来例で行われていた半田付けに比べて容易であり、それだけ組立作業性が改善されることになる。
【００１７】
本発明において、上記ワイヤーは、上記基体の側面と背面とによって形成される出隅コーナ部で折り曲げられてその基体の背面に保持されている上記第１中継基板に半田付けされているという構成を採用することが可能である。この構成によれば、第１中継基板とワイヤーと第２中継基板とによって制御信号が送られるようになる。
【００１８】
本発明に係る光ピックアップの組立方法は、基体と、対物レンズを保持しているレンズホルダーと、上記基体に取り付けられた第１中継基板と上記レンズホルダーに取り付けられた第２中継基板とにそれぞれ半田付けされて上記基体の前方で上記レンズホルダーを片持ち保持させている導電性のワイヤーと、を有する光ピックアップにおいて、第１及び第２の上記各中継基板に対する上記ワイヤーの各別の半田付け箇所の相互間位置でそのワイヤーを上記基体の側面に固定手段を用いて固定するワイヤー固定工程を行うことによって、上記固定手段から上記第２中継基板に対するワイヤーの半田付け箇所に至るワイヤー長を当該ワイヤーの有効長として定めると共に、そのワイヤー固定工程を、上記第１中継基板にワイヤーを半田付けするワイヤー半田付け工程に先立って行い、上記固定手段に接着剤を採用し、上記ワイヤー固定工程を行った後に、上記ワイヤー半田付け工程を行う、というものである。
【００１９】
この組立方法によると、ワイヤーを基体の側面に接着剤で接合するというワイヤー固定工程を行った後に、ワイヤーの第１中継基板に半田付けするというワイヤー半田付け工程を行うので、ワイヤー半田付け工程を行うときに既にワイヤーが基体に固定されていることになる。そのため、ワイヤー半田付け工程を困難なく行うことが可能になる。また、ワイヤー固定工程自体も、固定手段に接着剤を用いたことによって、接着剤を塗布する作業を容易に行うことができるようになるという利点がある。
【００２０】
本発明に係る組立方法では、上記第１中継基板が、上記基体の平坦な背面から張り出さない大きさを有してその背面だけに保持されているという構成を採用することが可能である。また、上記ワイヤー半田付け工程に、第１中継基板に半田付けされたワイヤーの余剰部分を切除するワイヤー切除作業が含まれるという工程を採用することも可能である。
【発明の効果】
【００２１】
以上のように、本発明に係る光ピックアップ及び光ピックアップの組立方法によれば、基体に第１中継基板を取り付けるときの作業性が改善されて、光ピックアップの生産性ないし量産性が向上するという効果が奏される。また、基体に備わっているダンパー剤保持部の根元の入隅部分で半田付け作業を行う必要性がなくなるにもかかわらず、ワイヤーの有効長が正確に定まる。そのため、ワイヤーの有効長の精度に関係する光ピックアップの動作性能が従来例に比べて、遜色なくなるという効果が奏される。
【発明を実施するための最良の形態】
【００２２】
図１は本発明の実施形態に係る光ピックアップの概略平面図、図２は図１の要部拡大図、図３は同実施形態に係る光ピックアップの概略側面図、図４は図３の要部拡大図である。
【００２３】
この光ピックアップが、ＤＶＤなどに組み付けられ、記録媒体としてのディスクの記録面を光学的に走査することに用いられる点、図１及び図３に示したように、光ピックアップが、平面視略矩形の基体１０と、対物レンズ２１を保持しているレンズホルダー２０と、基体１０に取り付けられた第１中継基板３０とレンズホルダー２０の側面に取り付けられた第２中継基板４０とにそれぞれ半田付けされた導電性のワイヤー５０とを有して、ワイヤー５０によってレンズホルダー４０が基体１０の前方で片持ち保持させている点、などは、図７〜図１０を参照して説明した従来例と同様である。
【００２４】
また、以上の構成を有する光ピックアップにおいて、第１中継基板３０とワイヤー５０と第２中継基板４０とを介して送られる制御信号に従ってレンズホルダー２０の動作が制御される点についても、上記従来例と同様である。
【００２５】
この実施形態に係る光ピックアップにおいて、上記した従来例と相違する点は、ワイヤー５０が基体１０の側面１１に固定手段６０としての接着剤６１で直接に接合されている点、ワイヤー５０の有効長Ｌが、固定手段６０としての接着剤６１による固定箇所５３から第２中継基板４に対するワイヤー５０の半田付け箇所５２に至るワイヤー長に相当している点、第１中継基板３０が基体１０の背面１２だけに保持されている点、などである。したがって、図１〜図４にあっては、従来例を示した図７〜図１０に示した要素と同一又は相応する要素に同一符号を付してその詳細説明を省略する。
【００２６】
この実施形態において、固定手段６０によるワイヤー５０の固定箇所５３は、基体１０の側面１１であり、しかも、基体１０に突設されているダンパー剤保持部１３の根元の入隅部分であって、そのダンパー剤保持部１３に接する位置である。ダンパー剤保持部１３の根元の入隅部分に固定手段６０としての接着剤６１を塗布する作業は、半田付け作業に比べて容易である。そのため、この実施形態のように、固定手段６０によるワイヤー５０の固定箇所５３をダンパー剤保持部１３の根元の入隅部分に定めても、その固定箇所５３にワイヤー５０を接合する作業を容易に行うことが可能である。したがって、光ピックアップの量産性が、その接着剤塗布作業によって顕著に損なわれてしまうという事態は生じない。
【００２７】
また、第１中継基板３０は、基体１０の平坦な背面１２から張り出さない大きさを有してその背面１２だけに保持されている。そのため、たとえば、第１中継基板３０を粘着剤又は接着剤で基体１０の背面１２に貼り付けて保持させるという作業を行う場合に、その作業が容易に行われる。すなわち、図１１を参照して説明したように、フレキシブル基板でなる第１中継基板３０を折り曲げて基体１０の背面１２や側面１１に重ね合わせるいう面倒で困難な作業を行う必要がない。さらに、第１中継基板３０には、フレキシブル基板を用いることができることは勿論、硬質板片状の配線基板を用いることも可能になるので、それだけ第１中継基板３０の選択自由度が高まるという利点もある。
【００２８】
次に、上記構成を備える光ピックアップに関して、実施形態に係る組立方法を説明する。  図５はワイヤー５０を第１中継基板３０に半田付けする前の工程（後述するワイヤー固定工程）を示した概略平面図、図６は同工程を示した概略側面図である。
【００２９】
図５及び図６に示したワイヤー固定工程は、基体１０の背面１２に第１中継基板３０を接合や接着などの方法で保持させる前に行ってもその後に行ってもよいが、この実施形態では、ワイヤー固定工程を行う前に、基体１０の背面１２に第１中継基板３０を接合や接着などの方法で保持させてある。そして、第１中継基板３０は、既述したように、基体１０の平坦な背面１２から張り出さない大きさを有してその背面１２だけに保持されている。また、ワイヤー１０をレンズホルダー２０の側面に取り付けられた第２中継基板４０に半田付けする工程は、当該ワイヤー固定工程を行う前に行っている。
【００３０】
ワイヤー固定工程は、第１中継基板３０にワイヤー５０を半田付けするという半田付け工程に先立って行われる。このワイヤー固定工程では、固定手段６０に接着剤６１が採用される。すなわち、ワイヤー固定工程は、基体１０のダンパー剤保持部１３に貫通させたワイヤー５０を基体１０の側面１１に沿わせることと、ワイヤー５０と基体１０の側面１１とに亘って固定手段６０としての接着剤６１を塗布することとが行われる。このワイヤー固定工程を行うことによって、固定手段６０から第２中継基板４０に対するワイヤー５０の半田付け箇所５２に至るワイヤー長が当該ワイヤー５０の有効長Ｌとして定められる。
【００３１】
このようなワイヤー固定工程は、固定手段６０によるワイヤー５０の固定箇所５３が図示のようにダンパー剤保持部１３の根元の入隅部分でそのダンパー剤保持部１３に接する位置であったとしても、固定手段６０に接着剤６１を選択したことによって接着剤６１を上記入隅部分に塗布するだけで済む。そのため、半田付け作業に比べてワイヤー５０を固定する作業を容易に行うことができる。このことにより、光ピックアップの量産性が、その接着剤塗布作業によって損なわれてしまうという事態は生じない。
【００３２】
上記のようなワイヤー固定工程を行った後に、ワイヤー５０を第１中継基板３０に半田付けするというワイヤー半田付け工程が行われる。このワイヤー半田付け工程では、ワイヤー５０が基体１０の背面１２と側面１１とによって形作られている出隅コーナ部のところで矢印ｂのように略直角に折り曲げられる。そして、そのように折り曲げられたワイヤー５０を第１中継基板３０の半田ランド（不図示）に重ね合わせて半田付けを行う。この場合、ワイヤー５０が半田ランドから突き出る長さを有していることが多い。そのようにときには、ワイヤー半田付け工程に、ワイヤー５０の余剰部分を切除するワイヤー切除作業を含ませて、ワイヤー５０の余剰部分を切除するとよい。
【００３３】
なお、図１〜図３、図５、図６、図７及び図８において、１００は基体１０が取り付けられている板金製のベースフレームである。また、図５及び図６においても、説明の便宜上、従来例を示した図７〜図１０に示した要素と同一又は相応する要素に同一符号を付してある。
【図面の簡単な説明】
【００３４】
【図１】本発明の実施形態に係る光ピックアップの概略平面図である。
【図２】図１の要部拡大図である。
【図３】同実施形態に係る光ピックアップの概略側面図である。
【図４】図３の要部拡大図である。
【図５】ワイヤー固定工程を示した概略平面図である。
【図６】同工程を示した概略側面図である。
【図７】従来例に係る光ピックアップの概略平面図である。
【図８】図７の要部拡大図である。
【図９】光ピックアップの概略側面図である。
【図１０】図９の要部拡大図である。
【図１１】第１中継基板の概略斜視図である。
【符号の説明】
【００３５】
１０  基体
１１  基体の側面
１２  基体の背面
１３  ダンパー剤保持部
２０  レンズホルダー
２１  対物レンズ
３０  第１中継基板
４０  第２中継基板
５０  ワイヤー
５１，５２  半田付け箇所
５３  ワイヤーの固定箇所
６０  固定手段
６１  接着剤
Ｌ  ワイヤーの有効長
【図１】
2009048701.tif 000003
【図２】
2009048701.tif 000004
【図３】
2009048701.tif 000005
【図４】
2009048701.tif 000006
【図５】
2009048701.tif 000007
【図６】
2009048701.tif 000008
【図７】
2009048701.tif 000009
【図８】
2009048701.tif 000010
【図９】
2009048701.tif 000011
【図１０】
2009048701.tif 000012
【図１１】
2009048701.tif 000013